(57)【要約】【課題】携帯端末装置に画像処理装置の操作画面であるリモート画面を表示して、携帯端末装置から画像処理装置を遠隔操作する場合に、特にボタン操作の早い操作熟練者においても応答性の悪さを感じさせることのない画像処理システムを提供する。【解決手段】画像処理装置１は、携帯端末装置２は画像処理装置１から受信した操作画面表示用データに基づいて操作画面をリモート画面として表示手段２０４ａに表示する。画像処理装置はさらに、携帯端末装置に表示されたリモート画面に対して操作を行ったユーザーが、操作熟練者か否かを判定する操作熟練者判定手段１０１を備え、操作熟練者でないと判定された場合には、操作画面表示用データの解像度として第１の解像度を設定し、操作熟練者と判定された場合は第１の解像度よりも相対的に低い第２の解像度を設定し、設定された第１または第２の解像度の操作画面表示用データを携帯端末装置に送信する。【選択図】  図６
2015037197.tif 000002
【特許請求の範囲】
【請求項１】
画像処理装置と該画像処理装置を遠隔操作可能な携帯端末装置とを備えた画像処理システムであって、
前記画像処理装置は、
自装置を操作するための操作画面を表示可能な表示手段と、
前記操作画面を前記携帯端末装置に表示させるための操作画面表示用データを携帯端末装置に送信する送信手段と、
を備え、
前記携帯端末装置は、
前記画像処理装置からの操作画面表示用データを受信する受信手段と、
表示手段と、
前記受信手段により受信した操作画面表示用データに基づいて画像処理装置の操作画面をリモート画面として前記表示手段に表示する表示制御手段と、
前記表示手段に表示された前記画像処理装置のリモート画面に対してユーザーが操作を行ったときの操作情報を前記画像処理装置に送信する送信手段と、
を備え、
前記画像処理装置はさらに、
前記携帯端末装置から前記操作情報を受信する受信手段と、
前記携帯端末装置の表示手段に表示された前記リモート画面に対して操作を行ったユーザーが、操作熟練者か否かを判定する操作熟練者判定手段と、
前記操作熟練者判定手段により前記ユーザーが操作熟練者でないと判定された場合には、前記携帯端末装置に送信する操作画面表示用データの解像度として第１の解像度を設定し、前記ユーザーが操作熟練者であると判定された場合には、前記操作画面表示用データの解像度として前記第１の解像度よりも相対的に低い第２の解像度を設定する解像度設定手段と、
を備え、
前記画像処理装置の送信手段は、前記解像度設定手段により設定された第１または第２の解像度の操作画面表示用データを前記携帯端末装置に送信することを特徴とする画像処理システム。
【請求項２】
前記画像処理装置の操作熟練者判定手段は、前記ユーザーが操作熟練者であるか否かを、前記携帯端末装置から受信した前記操作情報に基づくリモート画面の操作間隔から判定する請求項１に記載の画像処理システム。
【請求項３】
前記画像処理装置の操作熟練者判定手段は、前記ユーザーが操作熟練者であるか否かを、前記携帯端末装置から受信した前記操作情報に基づく操作ログから判定する請求項１に記載の画像処理システム。
【請求項４】
前記画像処理装置は操作熟練者であるユーザーを設定するユーザー設定手段を備え、前記画像処理装置の操作熟練者判定手段は、前記ユーザーが前記ユーザー設定手段により設定された操作熟練者に該当するか否かにより、前記ユーザーが操作熟練者であるか否かを判定する請求項１に記載の画像処理システム。
【請求項５】
前記画像処理装置の操作熟練者判定手段により前記ユーザーが操作熟練者であると判定されたのち、前記携帯端末装置の表示手段に表示される前記リモート画面の表示完了から画面操作までの時間が長くなった場合、または前記リモート画面の表示完了後他の操作が行われることなく前の画面へ戻る操作が行われた場合は、前記解像度設定手段は操作画面表示用データの解像度を前記第２の解像度から第１の解像度に変更する請求項１に記載の画像処理システム。
【請求項６】
解像度の設定を第２の解像度から第１の解像度に変更する場合、前記送信手段は、解像度の変更許否をユーザーに選択させる選択画面表示用データを前記携帯端末装置に送信し、ユーザーが解像度の変更を許可した場合にのみ前記解像度設定手段は解像度の設定を変更する請求項１〜５のいずれかに記載の画像処理システム。
【請求項７】
前記携帯端末装置の表示手段に表示される前記リモート画面に解像度切り替え用ボタンを表示させ、
前記解像度設定手段は、ユーザーが解像度の切り替えを選択した場合に解像度を切り替える請求項１〜６のいずれかに記載の画像処理システム。
【請求項８】
自装置を操作するための操作画面を表示可能な表示手段と、
自装置を遠隔操作可能な携帯端末装置に前記操作画面をリモート画面として表示させるための操作画面表示用データを携帯端末装置に送信する送信手段と、
携帯端末装置に表示された前記リモート画面に対してユーザーが操作を行ったときの操作情報を携帯端末装置から受信する受信手段と、
前記携帯端末装置に表示された前記リモート画面に対して操作を行ったユーザーが、操作熟練者か否かを判定する操作熟練者判定手段と、
前記操作熟練者判定手段により前記ユーザーが操作熟練者でないと判定された場合には、前記携帯端末装置に送信する操作画面表示用データの解像度として第１の解像度を設定し、前記ユーザーが操作熟練者であると判定された場合には、前記操作画面表示用データの解像度として前記第１の解像度よりも相対的に低い第２の解像度を設定する解像度設定手段と、
を備え、
前記送信手段は、前記解像度設定手段により設定された第１または第２の解像度の操作画面表示用データを前記携帯端末装置に送信することを特徴とする画像処理装置。
【請求項９】
前記操作熟練者判定手段は、前記ユーザーが操作熟練者であるか否かを、前記携帯端末装置から受信した前記操作情報に基づくリモート画面の操作間隔から判定する請求項８に記載の画像処理装置。
【請求項１０】
前記操作熟練者判定手段は、前記ユーザーが操作熟練者であるか否かを、前記携帯端末装置から受信した前記操作情報に基づく操作ログから判定する請求項８に記載の画像処理装置。
【請求項１１】
操作熟練者であるユーザーを設定するユーザー設定手段を備え、前記操作熟練者判定手段は、前記ユーザーが前記ユーザー設定手段により設定された操作熟練者に該当するか否かにより、前記ユーザーが操作熟練者であるか否かを判定する請求項８に記載の画像処理装置。
【請求項１２】
前記操作熟練者判定手段により前記ユーザーが操作熟練者であると判定されたのち、前記携帯端末装置に表示される前記リモート画面の表示完了から画面操作までの時間が長くなった場合、または前記リモート画面の表示完了後他の操作が行われることなく前の画面へ戻る操作が行われた場合は、前記解像度設定手段は操作画面表示用データの解像度を前記ユーザーが操作熟練者でない場合の解像度に切り替える請求項８に記載の画像処理装置。
【請求項１３】
解像度の設定を第２の解像度から第１の解像度に変更する場合、前記送信手段は、解像度の変更許否をユーザーに選択させる選択画面表示用データを前記携帯端末装置に送信し、ユーザーが解像度の変更を許可した場合にのみ前記解像度設定手段は解像度の設定を変更する請求項８〜１２のいずれかに記載の画像処理装置。
【請求項１４】
前記携帯端末装置に表示される前記リモート画面に解像度切り替え用ボタンを表示させ、
前記解像度設定手段は、ユーザーが解像度の切り替えを選択した場合に解像度を切り替える請求項８〜１３のいずれかに記載の画像処理装置。
【請求項１５】
自装置を操作するための操作画面を、自装置を遠隔操作可能な携帯端末装置にリモート画面として表示させるための操作画面表示用データを前記携帯端末装置に送信する送信ステップと、
携帯端末装置に表示された前記リモート画面に対してユーザーが操作を行ったときの操作情報を携帯端末装置から受信する受信ステップと、
前記携帯端末装置に表示された前記リモート画面に対して操作を行ったユーザーが、操作熟練者か否かを判定する操作熟練者判定ステップと、
前記操作熟練者判定ステップにおいて前記ユーザーが操作熟練者でないと判定された場合には、前記携帯端末装置に送信する操作画面表示用データの解像度として第１の解像度を設定し、前記ユーザーが操作熟練者であると判定された場合には、前記操作画面表示用データの解像度として前記第１の解像度よりも相対的に低い第２の解像度を設定する解像度設定ステップと、
を画像処理装置のコンピュータに実行させ、
前記送信ステップでは、前記解像度設定ステップにおいて設定された第１または第２の解像度の操作画面表示用データを前記携帯端末装置に送信する処理を前記コンピュータに実行させるためのリモート画面の表示制御プログラム。
【発明の詳細な説明】
【技術分野】
【０００１】
この発明は、多機能デジタル複合機であるＭＦＰ（Multi Function Peripherals）等の画像処理装置と、該画像処理装置を遠隔操作可能なスマートフォン、タブレット端末等の携帯端末装置とを備えた画像処理システム、画像処理装置及びリモート画面の表示制御プログラムに関する。
【背景技術】
【０００２】
近年、スマートフォン、タブレット端末等の携帯端末装置は、電子化された文書を記憶可能であり、時と場所を選ばず、文書を閲覧したり編集したりできる。また、携帯端末装置で編集等したファイルを前記ＭＦＰ等の画像処理装置に送信し、画像処理装置で印刷または保存等の処理を実行させることができる。さらに、画像処理装置のスキャナ部で読み取った原稿の画像データ等からなるファイルを携帯端末装置に送信し、携帯端末装置で編集等を行うこともできる。
【０００３】
しかし、携帯端末装置と画像処理装置とを、それぞれ別個に操作する必要があり、操作が煩雑になるといった問題がある。
【０００４】
そこで、最近、画像処理装置の機能を使用するための画像処理装置側の操作画面を、携帯端末装置の表示部にリモート画面として表示し、携帯端末装置から画像処理装置を連携操作できるようにした、画像処理装置と携帯端末装置との連携システムが提案されている。このシステムでは、携帯端末装置の表示部に表示される画像処理装置側のリモート画面は、画像処理装置から送信される画面データに基づいて表示される。
【０００５】
つまり、操作が行われたことを示す情報が携帯端末装置から画像処理装置に送信され、画像処理装置はこの情報に基づいて次の画面データを作成し、この画面データを携帯端末装置に送信し、携帯端末装置はこの画面データに基づいてリモート画面を更新表示する。
【０００６】
ところで、携帯端末装置は画像処理装置との通信でネットワーク帯域を制限されており、画像処理装置から携帯端末装置に操作画面表示用データを転送する場合、携帯端末装置の表示部にリモート画面が表示されるのに例えば４５０μｓ程度かかる。画像処理装置自身の表示部の画面遷移時間の約１５０μＳに対して３倍程度も遅く、特にボタン操作の早い操作熟練者においては応答性が悪く操作性が低いと感じてしまうという問題がある。
【０００７】
なお、特許文献１には、最初に低解像度画像を表示し次に高解像度画像を表示させる画像表示処理において、画像を次々に切り替えて画像を選択する場合でも、所望の画像に早く辿り着くことができる画像表示装置が開示されている。
【先行技術文献】
【特許文献】
【０００８】
【特許文献１】特開２０１１−０５６９５３号公報
【発明の概要】
【発明が解決しようとする課題】
【０００９】
ところが、前記特許文献１に記載の技術は、画像処理装置の操作画面をリモート画面として携帯端末装置に表示するシステムを前提とした技術ではない。このため、携帯端末装置の表示部に画像処理装置の操作画面であるリモート画面が表示されるのに時間がかかり、特にボタン操作の早い操作熟練者においては応答性が悪く操作性が低いと感じてしまうという問題に対して、解決策を提供しうるものではなかった。
【００１０】
この発明は、このような実情に鑑みてなされたものであり、携帯端末装置に画像処理装置の操作画面であるリモート画面を表示して、携帯端末装置から画像処理装置を遠隔操作する場合に、特にボタン操作の早い操作熟練者においても応答性の悪さを感じさせることのない画像処理システムを提供し、さらには画像処理装置及びリモート画面の表示制御プログラムを提供することを課題とする。
【課題を解決するための手段】
【００１１】
上記課題は、以下の手段によって解決される。
（１）画像処理装置と該画像処理装置を遠隔操作可能な携帯端末装置とを備えた画像処理システムであって、前記画像処理装置は、自装置を操作するための操作画面を表示可能な表示手段と、前記操作画面を前記携帯端末装置に表示させるための操作画面表示用データを携帯端末装置に送信する送信手段と、を備え、前記携帯端末装置は、前記画像処理装置からの操作画面表示用データを受信する受信手段と、表示手段と、前記受信手段により受信した操作画面表示用データに基づいて画像処理装置の操作画面をリモート画面として前記表示手段に表示する表示制御手段と、前記表示手段に表示された前記画像処理装置のリモート画面に対してユーザーが操作を行ったときの操作情報を前記画像処理装置に送信する送信手段と、を備え、前記画像処理装置はさらに、前記携帯端末装置から前記操作情報を受信する受信手段と、前記携帯端末装置の表示手段に表示された前記リモート画面に対して操作を行ったユーザーが、操作熟練者か否かを判定する操作熟練者判定手段と、前記操作熟練者判定手段により前記ユーザーが操作熟練者でないと判定された場合には、前記携帯端末装置に送信する操作画面表示用データの解像度として第１の解像度を設定し、前記ユーザーが操作熟練者であると判定された場合には、前記操作画面表示用データの解像度として前記第１の解像度よりも相対的に低い第２の解像度を設定する解像度設定手段と、を備え、前記画像処理装置の送信手段は、前記解像度設定手段により設定された第１または第２の解像度の操作画面表示用データを前記携帯端末装置に送信することを特徴とする画像処理システム。
（２）前記画像処理装置の操作熟練者判定手段は、前記ユーザーが操作熟練者であるか否かを、前記携帯端末装置から受信した前記操作情報に基づくリモート画面の操作間隔から判定する前項１に記載の画像処理システム。
（３）前記画像処理装置の操作熟練者判定手段は、前記ユーザーが操作熟練者であるか否かを、前記携帯端末装置から受信した前記操作情報に基づく操作ログから判定する前項１に記載の画像処理システム。
（４）前記画像処理装置は操作熟練者であるユーザーを設定するユーザー設定手段を備え、前記画像処理装置の操作熟練者判定手段は、前記ユーザーが前記ユーザー設定手段により設定された操作熟練者に該当するか否かにより、前記ユーザーが操作熟練者であるか否かを判定する前項１に記載の画像処理システム。
（５）前記画像処理装置の操作熟練者判定手段により前記ユーザーが操作熟練者であると判定されたのち、前記携帯端末装置の表示手段に表示される前記リモート画面の表示完了から画面操作までの時間が長くなった場合、または前記リモート画面の表示完了後他の操作が行われることなく前の画面へ戻る操作が行われた場合は、前記解像度設定手段は操作画面表示用データの解像度を前記第２の解像度から第１の解像度に変更する前項１に記載の画像処理システム。
（６）解像度の設定を第２の解像度から第１の解像度に変更する場合、前記送信手段は、解像度の変更許否をユーザーに選択させる選択画面表示用データを前記携帯端末装置に送信し、ユーザーが解像度の変更を許可した場合にのみ前記解像度設定手段は解像度の設定を変更する前項１〜５のいずれかに記載の画像処理システム。
（７）前記携帯端末装置の表示手段に表示される前記リモート画面に解像度切り替え用ボタンを表示させ、前記解像度設定手段は、ユーザーが解像度の切り替えを選択した場合に解像度を切り替える前項１〜６のいずれかに記載の画像処理システム。
（８）自装置を操作するための操作画面を表示可能な表示手段と、自装置を遠隔操作可能な携帯端末装置に前記操作画面をリモート画面として表示させるための操作画面表示用データを携帯端末装置に送信する送信手段と、携帯端末装置に表示された前記リモート画面に対してユーザーが操作を行ったときの操作情報を携帯端末装置から受信する受信手段と、前記携帯端末装置に表示された前記リモート画面に対して操作を行ったユーザーが、操作熟練者か否かを判定する操作熟練者判定手段と、前記操作熟練者判定手段により前記ユーザーが操作熟練者でないと判定された場合には、前記携帯端末装置に送信する操作画面表示用データの解像度として第１の解像度を設定し、前記ユーザーが操作熟練者であると判定された場合には、前記操作画面表示用データの解像度として前記第１の解像度よりも相対的に低い第２の解像度を設定する解像度設定手段と、を備え、前記送信手段は、前記解像度設定手段により設定された第１または第２の解像度の操作画面表示用データを前記携帯端末装置に送信することを特徴とする画像処理装置。
（９）前記操作熟練者判定手段は、前記ユーザーが操作熟練者であるか否かを、前記携帯端末装置から受信した前記操作情報に基づくリモート画面の操作間隔から判定する前項８に記載の画像処理装置。
（１０）前記操作熟練者判定手段は、前記ユーザーが操作熟練者であるか否かを、前記携帯端末装置から受信した前記操作情報に基づく操作ログから判定する前項８に記載の画像処理装置。
（１１）操作熟練者であるユーザーを設定するユーザー設定手段を備え、前記操作熟練者判定手段は、前記ユーザーが前記ユーザー設定手段により設定された操作熟練者に該当するか否かにより、前記ユーザーが操作熟練者であるか否かを判定する前項８に記載の画像処理装置。
（１２）前記操作熟練者判定手段により前記ユーザーが操作熟練者であると判定されたのち、前記携帯端末装置に表示される前記リモート画面の表示完了から画面操作までの時間が長くなった場合、または前記リモート画面の表示完了後他の操作が行われることなく前の画面へ戻る操作が行われた場合は、前記解像度設定手段は操作画面表示用データの解像度を前記ユーザーが操作熟練者でない場合の解像度に切り替える前項８に記載の画像処理装置。
（１３）解像度の設定を第２の解像度から第１の解像度に変更する場合、前記送信手段は、解像度の変更許否をユーザーに選択させる選択画面表示用データを前記携帯端末装置に送信し、ユーザーが解像度の変更を許可した場合にのみ前記解像度設定手段は解像度の設定を変更する前項８〜１２のいずれかに記載の画像処理装置。
（１４）前記携帯端末装置に表示される前記リモート画面に解像度切り替え用ボタンを表示させ、前記解像度設定手段は、ユーザーが解像度の切り替えを選択した場合に解像度を切り替える前項８〜１３のいずれかに記載の画像処理装置。
（１５）自装置を操作するための操作画面を、自装置を遠隔操作可能な携帯端末装置にリモート画面として表示させるための操作画面表示用データを前記携帯端末装置に送信する送信ステップと、携帯端末装置に表示された前記リモート画面に対してユーザーが操作を行ったときの操作情報を携帯端末装置から受信する受信ステップと、前記携帯端末装置に表示された前記リモート画面に対して操作を行ったユーザーが、操作熟練者か否かを判定する操作熟練者判定ステップと、前記操作熟練者判定ステップにおいて前記ユーザーが操作熟練者でないと判定された場合には、前記携帯端末装置に送信する操作画面表示用データの解像度として第１の解像度を設定し、前記ユーザーが操作熟練者であると判定された場合には、前記操作画面表示用データの解像度として前記第１の解像度よりも相対的に低い第２の解像度を設定する解像度設定ステップと、を画像処理装置のコンピュータに実行させ、前記送信ステップでは、前記解像度設定ステップにおいて設定された第１または第２の解像度の操作画面表示用データを前記携帯端末装置に送信する処理を前記コンピュータに実行させるためのリモート画面の表示制御プログラム。
【発明の効果】
【００１２】
前項（１）に記載の発明によれば、携帯端末装置に画像処理装置の操作画面であるリモート画面を表示して、携帯端末装置から画像処理装置を遠隔操作する場合に、携帯端末装置の表示手段に表示されたリモート画面に対して操作を行ったユーザーが操作熟練者か否かが画像処理装置で判定される。そして、ユーザーが操作熟練者でないと判定された場合には、携帯端末装置に送信する操作画面表示用データの解像度として第１の解像度が設定され、操作熟練者であると判定された場合には、第１の解像度よりも相対的に低い第２の解像度が設定され、この設定された第１または第２の解像度の操作画面表示用データが携帯端末装置に送信される。
【００１３】
つまり、携帯端末装置の操作ユーザーが操作熟練者であると判定された場合は、相対的に低い解像度の操作画面表示用データが携帯端末装置に送信されるから、相対的に高い解像度の操作画面表示用データが送信される場合に比べて、送信開始から携帯端末装置に表示されるまでの時間を短縮できる。このため、ボタン操作の早い操作熟練者に応答性の悪さを感じさせることのない画像処理システムとなる。なお、操作熟練者は操作画面におけるボタン等の位置を把握しているから、表示画面が高解像度でなくても操作に困ることはなく問題はない。
【００１４】
前項（２）に記載の発明によれば、ユーザーが操作熟練者であるか否かが、携帯端末装置から受信した操作情報に基づくリモート画面の操作間隔から判定されるから、より確実にユーザーが操作熟練者であるか否かが判定される。
【００１５】
前項（３）に記載の発明によれば、ユーザーが操作熟練者であるか否かが、携帯端末装置から受信した操作情報に基づく操作ログから判定されるから、より確実にユーザーが操作熟練者であるか否かが判定される。
【００１６】
前項（４）に記載の発明によれば、ユーザーがユーザー設定手段により設定された操作熟練者に該当するか否かにより、操作熟練者であるか否かが判定されるから、より確実にユーザーが操作熟練者であるか否かが判定される。
【００１７】
前項（５）に記載の発明によれば、ユーザーが操作熟練者であると判定された場合であっても、リモート画面の表示完了から画面操作までの時間が長くなった場合、またはリモート画面の表示完了後他の操作が行われることなく前の画面へ戻る操作が行われた場合は、操作熟練者でないものとして解像度が切り替えられる。
【００１８】
前項（６）に記載の発明によれば、解像度の切り替えに際してユーザーの意思を反映できる。
【００１９】
前項（７）に記載の発明によれば、ユーザーはリモート画面に表示された解像度切り替え用ボタンを操作することで、解像度を切り替えることができる。
【００２０】
前項（８）に記載の発明によれば、携帯端末装置の操作ユーザーが操作熟練者であると判定された場合は、相対的に低い解像度の操作画面表示用データが携帯端末装置に送信されるから、相対的に高い解像度の操作画面表示用データが送信される場合に比べて、送信開始から携帯端末装置に表示されるまでの時間を短縮できる。このため、ボタン操作の早い操作熟練者に応答性の悪さを感じさせることのない画像処理装置となる。
【００２１】
前項（９）に記載の発明によれば、ユーザーが操作熟練者であるか否かが、携帯端末装置から受信した操作情報に基づくリモート画面の操作間隔から判定されるから、より確実にユーザーが操作熟練者であるか否かが判定される。
【００２２】
前項（１０）に記載の発明によれば、ユーザーが操作熟練者であるか否かが、携帯端末装置から受信した操作情報に基づく操作ログから判定されるから、より確実にユーザーが操作熟練者であるか否かが判定される。
【００２３】
前項（１１）に記載の発明によれば、ユーザーがユーザー設定手段により設定された操作熟練者に該当するか否かにより、操作熟練者であるか否かが判定されるから、より確実にユーザーが操作熟練者であるか否かが判定される。
【００２４】
前項（１２）に記載の発明によれば、ユーザーが操作熟練者であると判定された場合であっても、リモート画面の表示完了から画面操作までの時間が長くなった場合、またはリモート画面の表示完了後他の操作が行われることなく前の画面へ戻る操作が行われた場合は、操作熟練者でないものとして解像度が切り替えられる。
【００２５】
前項（１３）に記載の発明によれば、解像度の切り替えに際してユーザーの意思を反映できる。
【００２６】
前項（１４）に記載の発明によれば、ユーザーはリモート画面に表示された解像度切り替え用ボタンを操作することで、解像度を切り替えることができる。
【００２７】
前項（１５）に記載の発明によれば、携帯端末装置の操作ユーザーが操作熟練者であると判定した場合は、相対的に低い解像度の操作画面表示用データを携帯端末装置に送信する処理を、画像処理装置のコンピュータに実行させることができる。
【図面の簡単な説明】
【００２８】
【図１】この発明の一実施形態に係る携帯端末装置が用いられた画像処理連携システムの構成図である。
【図２】画像処理装置及び携帯端末装置の電気的な構成を示すブロック図である。
【図３】画像処理装置及び携帯端末装置のファームウェア構成を示すブロック図である。
【図４】画像処理装置及び携帯端末装置の各ソフトウェアの関係を示す図である。
【図５】携帯端末装置の表示部に、画像処理装置で作成された画像処理装置の操作画面がリモート画面として表示されている状態を示す図である。
【図６】画像処理装置の動作を示すフローチャートである。
【図７】携帯端末装置の動作を示すフローチャートである。
【図８】図６のフローチャートにおける熟練者判定処理の詳細を示すフローチャートである。
【図９】熟練者判定処理の他の例を示すフローチャートである。
【図１０】熟練者判定処理のさらに他の例を示すフローチャートである。
【図１１】熟練者判定処理のさらに他の例を示すフローチャートである。
【図１２】熟練者判定処理のさらに他の例を示すフローチャートである。
【図１３】携帯端末装置に表示された解像度変更許否の選択画面を示す図である。
【図１４】携帯端末装置に表示された操作画面内に、解像度設定ボタンが表示されている図である。
【図１５】図１４の画面において、解像度設定ボタンが押されたときに遷移する画面を示す図である。
【発明を実施するための形態】
【００２９】
以下、この発明の実施形態を図面に基づいて説明する。
【００３０】
図１は、この発明の一実施形態に係る携帯端末装置が用いられた画像処理システムの構成図である。
【００３１】
この画像処理システムは、画像処理装置１と携帯端末装置２等を備え、これらの画像処理装置１と携帯端末装置２は、無線ＬＡＮルータ３、ネットワーク４を介して相互に接続可能となされている。なお、画像処理装置１と携帯端末装置２は、ＵＳＢインターフェース等により有線接続も可能であるが、この実施形態では、無線通信により相互に接続されるものとして説明する。
【００３２】
この実施形態では、画像処理装置１としてコピー機能、プリント機能、スキャン機能、ファクシミリ機能等を備えた前述のＭＦＰが用いられている。以下、画像処理装置をＭＦＰとも記す。また、携帯端末装置を携帯端末とも記す。
【００３３】
図２は、前記ＭＦＰ１と携帯端末２の電気的な構成を示すブロック図である。
【００３４】
ＭＦＰ１は、ＣＰＵ１０１、ＲＯＭ１０２、ＲＡＭ１０３，スキャナ部１０４、プリント部１０５、記憶部１０６、操作パネル部１０７、ＷＩＦＩ（Wireless Fidelity）モジュール１０９、ＬＡＮ（Local Area Network）コントローラ１１０、ＵＳＢインターフェース（ＵＳＢＩ／Ｆ）１１１等を備えている。
【００３５】
前記ＣＰＵ１０１は、ＲＯＭ１０２等に記憶された動作プログラムに従って動作することにより、ＭＦＰ１の全体を統括的に制御するものである。例えば、ＭＦＰ１の各種機能を使用可能に制御するほか、この実施形態では、携帯端末２からの要求に基づいて、自装置の操作画面を携帯端末２に表示させるための操作画面表示用データを携帯端末２に送信したり、携帯端末２側で行われたユーザー操作に応じて、ジョブを実行したり次に表示させる操作画面表示用データ等を携帯端末２に送信する。
【００３６】
前記ＲＯＭ１０２は、ＣＰＵ１０１の動作プログラム等を記憶するメモリであり、ＲＡＭ１０３はＣＰＵ１０１が動作プログラムに従って動作するときの作業領域を提供するメモリである。
【００３７】
前記スキャナ部１０４は、図示しないプラテンガラス上にセットされた原稿や、同じく図示しない自動原稿搬送装置にセットされた原稿の画像を読み取って、電子データである画像データを出力するものである。
【００３８】
前記プリント部１０５は、スキャナ部１０４により読み取られた原稿の画像データや、携帯端末２等から送信されたプリントデータを、用紙に印刷するものである。
【００３９】
前記記憶部１０６は、各種のデータやアプリケーション等を記憶するものであり、ハードディスク装置などが用いられている。特に、この実施形態では、操作パネル部１０７に表示される各種の操作画面の表示用データが記憶されており、ユーザーの操作に応じた操作画面の表示用データがＣＰＵ１０１によって記憶部１０６から呼び出され、操作パネル部１０７に表示されたり、携帯端末２に送信される。また、スキャナ部１０４で読み取られた画像データからなる文書ファイルや、外部装置から送信された文書ファイル等の複数のファイルも保存されている。
【００４０】
操作パネル部１０７は、ＭＦＰ１を操作したりユーザーにメッセージ等を表示するものであり、図５に示すように、機械的なハードウェアキー（以下、外キーともいう）を有するキー部１０７ａと、液晶等のタッチパネルからなる表示部１０７ｂを備えている。なお、外キーとして、この実施形態では、スタートキー１２１、ストップキー１２２、リセットキー１２３、認証画面に移行させるためのＩＤキー１２４、デフォルト画面に移行させるためのホームキー１２５、省電力モードに移行させるための副電源キー１２６、テンキー１２７等が備えられている。なお、外キーはこれらに限定されることはなく、プレビューキー、ガイドキー、拡大表示キー、ユーティリティーキー、ジョブモード切替キー等を備えていても良い。
【００４１】
前記ＷＩＦＩモジュール１０９は、携帯端末２と無線接続するためのインターフェースであり、前記ＬＡＮコントローラ１１０は、パーソナルコンピュータや他のＭＦＰ等の外部装置との間の通信を制御するものである。
【００４２】
前記ＵＳＢインターフェース１１１は携帯端末２と有線接続するためのインターフェースである。
【００４３】
一方、携帯端末２には、スマートフォン、タブレット端末、電子ペーパー等が用いられる。携帯端末２は、ＣＰＵ２０１、ＲＡＭ２０２、記憶部２０３、表示部２０４ａ、操作部２０４ｂ、ＷＩＦＩモジュール２０５、ＬＡＮコントローラ２０６、ＵＳＢインターフェース２０７、ファイル処理部２０８ａ、２０８ｂ、連携部２０９等を備えている。
【００４４】
前記ＣＰＵ２０１は、携帯端末２の全体を統括的に制御するものであり、基本ソフトウェアであるＯＳ（Operating System）や、後述する連携アプリケーションあるいは汎用アプリケーションに従って動作する。
【００４５】
前記ＲＡＭ２０２は、ＣＰＵ２０１が動作プログラムに従って動作するときの作業領域となるメモリである。
【００４６】
前記記憶部２０３は、各種のデータやアプリケーション等を記憶するものであり、ハードディスク装置などが用いられている。この実施形態では、ＭＦＰ１から送信された操作画面表示用データ、基本ＯＳ、連携アプリケーション、汎用アプリケーション等のプログラムを記憶している。なお、以下の説明ではアプリケーションを単にアプリともいう。
【００４７】
前記表示部２０４ａは液晶等のデバイスからなり、操作部２０４ｂは表示部２０４ａに設けられ、タッチ入力操作が可能なタッチパネルからなる。タッチ操作は通常、タッチした指の数や指の移動に応じて操作内容を規定するジェスチャー操作によって行われる。ジェスチャー操作の一例として、画面をスクロール（ページ送りやページ戻し）をするためのフリック操作、画像の変倍（拡大または縮小）や回転等を指示するためのピンチイン操作、ピンチアウト操作などを例示できる。
【００４８】
前記ＷＩＦＩモジュール２０５は、携帯端末２をＭＦＰ１と無線接続するためのインターフェースであり、前記ＬＡＮコントローラ２０６は、ユーザー端末等の外部装置との間の通信を制御するものである。また、前記ＵＳＢインターフェース２０７は、携帯端末装置２をＭＦＰ１と有線接続するためのインターフェースである。
【００４９】
前記ファイル処理部２０８ａ、２０８ｂは、ファイルの編集、転送あるいはメール配信等の処理を実施する。以下、ファイル処理部２０８ａ、２０８ｂをいずれもファイル処理部２０８と記す。
【００５０】
前記連携部２０９は、ＭＦＰ１と携帯端末２の間の機能連携を円滑に行うために、ＭＦＰ１の機能を使用できるようにするためのものである。具体的には、ＭＦＰ１のコピー機能、プリント機能、スキャン機能、ファクシミリ機能等を使用するためにＭＦＰ１の操作パネル部１０７に表示される操作画面と同じ操作画面を再生するための操作画面表示用データをＭＦＰ１から受信し、前記操作画面をリモート画面として表示部２０４に表示したり、リモート画面に表示された操作ボタン等をユーザーが押下したときに、画面上の操作位置の座標を検出して操作情報としてＭＦＰ１に送信する。ＭＦＰ１は前記操作位置の座標を解析することにより、ユーザーの操作指示を特定し、操作指示に応じた動作を実行する。
【００５１】
前記ファイル処理部２０８は、ＣＰＵ２０１が汎用アプリを実行することによりその機能が実現される。つまり、汎用アプリは各種ファイルを処理するファイル処理部２０８を実現するためのソフトウェアであり、例えばファイル編集用アプリ、ファイルを電子メールで配信する機能を有するアプリ、ウェブ上にファイルをストレージする機能を有するアプリ等、各種のアプリを用いることができる。
【００５２】
また、前記連携部２０９は、ＣＰＵ２０１が前述した連携アプリを実行することによりそれらの機能が実現される。つまり、連携アプリはＭＦＰ１と携帯端末２とのスムーズな機能連携を図るためのソフトウェアである。また、連携アプリと汎用アプリとの間で、ファイルの転送やダウンロードを行うことができる。
【００５３】
図３は、ＭＦＰ１と携帯端末２のファームウェア構成を示すブロック図である。
【００５４】
ＭＦＰ１は、アプリ層に、操作パネル（アプリ）１２１やオープンＡＰＩ（Open Application Program Interface）１２２等を備え、共通ＡＰＩ層に、共通ＡＰＩ（Common API）１２５やパネル表示画像生成部１２６等を備え、ハードウェア依存層に、パネル画面生成部１２３、パネル制御部１２４、携帯端末用制御部１２７等を備えている。
【００５５】
さらに、カーネル層に、パネル入力制御部１２９、パネルＬＣＤ制御部１３０、ＪＰＥＧコーダドライバ１３１等を備え、デバイス層に、操作パネル部１０７、ＵＳＢインターフェース部１１１、ＪＰＥＧ圧縮部１３３、ＷＩＦＩモジュール１０９等を備えている。
【００５６】
パネル画面生成部１２３は、携帯端末２から連携操作が行われた場合に、操作パネル部１０７に表示されるＭＦＰ１側の画面データを作成する。この際に、携帯端末２を操作するユーザーが操作熟練者かどうかの判定を行い、操作熟練者であれば通常モード時の解像度である第１の解像度よりも相対的に解像度の低い第２の解像度で画面データを作成する。操作熟練者であれば通常モードによる第１の解像度で画面データを作成する。なお、ユーザーが操作熟練者かどうかの判定は、どこで行われても良い。
【００５７】
パネル制御部１２４は操作パネル部１０７との通信状態の制御等を行い、携帯端末用制御部１２７は、携帯端末２との連携処理時に、携帯端末２と通信を行うためのインターフェース等を制御する。
【００５８】
パネル入力制御部１２９は、操作パネル部１０７の操作入力に関する制御を行い、パネルＬＣＤ制御部１３０は、操作パネル部１０７の表示部１０７ｂの表示制御を行う。ＪＰＥＧ圧縮部１３３は、ＪＰＥＧコーダドライバ１３１を介して携帯端末用制御部１２７から送信されてきた操作画面表示用データ、ソフトキー表示用データあるいは引き出しキー表示用データ等をＪＰＥＧ圧縮するものであり、圧縮されたデータはＵＳＢインターフェース１１１やＷＩＦＩモジュール１０９を介して、携帯端末２に送信される。
【００５９】
一方、携帯端末２は、画像表示アプリ２２１、表示画像生成アプリ２２２、ＪＰＥＧ展開アプリ２２３、ブラウザ２２４等の各種アプリケーションを備えたアプリケーション層と、各種のマネージャー２２５、２２６等を備えたプラットフォーム層と、各種のライブラリ２２７及びカーネル２２８を備えたＯＳ層と、ハードウェア２２９によって構成されている。
【００６０】
前記ＪＰＥＧ展開アプリ２２３は、ＭＦＰ１から送信されてきた圧縮データを伸張するものである。
【００６１】
表示画像生成アプリ２２２は、携帯端末２の表示部２０４に表示させる画像を生成する。
【００６２】
前記画像表示アプリ２２１は、ＭＦＰ１から送信されＪＰＥＧ展開アプリ２２３で伸張された操作画面表示用データを用いて、ＭＦＰ１の操作画面をリモート画面として作成し表示部２０４に表示させるものである。
【００６３】
なお、この実施形態では、画像表示アプリ２２１、表示画像生成アプリ２２２、ＪＰＥＧ展開アプリ２２３は、連携アプリで実現される機能の一部として構成されている。
【００６４】
次に、ＭＦＰ１と携帯端末２を連携操作する場合の処理について説明する。
【００６５】
ユーザーが携帯端末２をＭＦＰ１にネットワーク経由にて無線接続し、携帯端末２とＭＦＰ１を連携して操作しようとしている。携帯端末２とＭＦＰ１の連携操作は、ユーザーが携帯端末２にインストールされている連携アプリを起動することにより、開始される。
【００６６】
図４は、ＭＦＰ１及び携帯端末２の各ソフトウェアの関係を示すものであり、左側にＭＦＰ１側のソフトウェアを、右側に携帯端末２のソフトウェアをそれぞれ示す。
【００６７】
携帯端末２の連携アプリは、携帯端末２のＯＳと汎用のソフトウェアであるアプリソフトの中間に位置しており、ＭＦＰ１からのデータの受信及び受信したデータの処理、ユーザーの操作情報や携帯端末２側の操作画面表示用データの取得等を行うことができ、必要に応じて取得したデータをＭＦＰ１へ送信することができる。つまり、携帯端末２の連携ソフトは、アプリの呼び出し等の携帯端末２側でのユーザー操作受付処理、ＭＦＰ１の操作画面表示用データの受信・表示処理（携帯端末側操作画面処理）、連携操作関連処理等を実行する。連携操作関連処理としては、操作の内容を示す操作情報のＭＦＰ１との通信等が挙げられる。
【００６８】
一方、ＭＦＰ１の連携アプリは、ＭＦＰ１側のＯＳやＭＦＰ１用のアプリソフトが全て自社設計／自社カスタマイズであって必要な情報をすべて得られる場合は、ＯＳ−アプリソフト間に位置しなくても良く、ＯＳやアプリソフトと独立でありながら、ＯＳやアプリソフトと通信することにより、必要な情報を入手してもよい。ＭＦＰ１の連携アプリは、アプリの呼び出し等のＭＦＰ１側のユーザー操作受付処理、携帯端末２へのＭＦＰ側画面データの送信処理（ＭＦＰ側操作画面処理）、連携操作関連処理等を実行する。連携操作関連処理としては、携帯端末２からの操作情報等の受信・実行処理等が挙げられる。
【００６９】
ユーザーが携帯端末２の表示部２０４に表示された連携操作アイコンを選択し、ＭＦＰ連携を指示すると、携帯端末２の連携ソフトは、登録されているＭＦＰ１への通信を行い、ＭＦＰ１の連携ソフトを呼び出し、操作画面表示用データの取得を要求する。それにより、連携操作モードが開始され、ＭＦＰ１の表示部１０５ａと携帯端末２の表示部２０４に、ＭＦＰ側の操作画面が表示される。なお、ＭＦＰ１の表示部１０５ａにおける画面表示は行われなくても良い。
【００７０】
次に、図１に示した画像処理連携システムの動作を説明する。
【００７１】
今、携帯端末２の表示部２０４ａに、図５に示すように、ＭＦＰ１で作成されたＭＦＰ１の操作画面Ｄ１がリモート画面として表示されている。操作画面Ｄ１における操作ボタンが操作されると、携帯端末２から操作された座標を示す情報がＭＦＰ１に送信され、ＭＦＰ１は座標情報を解析して、操作に対応する次画面を作成したり、ジョブを実行する。
【００７２】
この際に、ＭＦＰ１は、携帯端末２の操作ユーザーが操作熟練者かどうかを判定し、操作熟練者であるか否かに応じて解像度を変更設定してリモート画面表示用データを作成する。
【００７３】
図６は、このようなＭＦＰ１の動作を示すフローチャートである。この動作は、ＭＦＰ１のＣＰＵ１０１がＲＯＭ１０２等に格納されている動作プログラムに従って動作することにより実行される。
【００７４】
ステップＳ０１で、携帯端末２からの画面データの取得要求を待ち、取得要求があれば（ステップＳ０１でＹＥＳ）、ステップＳ０２で、第２の解像度を設定し、この設定した解像度で操作画面表示用データを作成する。
【００７５】
次に、ステップＳ０３で、作成した操作画面表示用データを携帯端末２へ送信した後、ステップＳ０４で、携帯端末２から操作情報を受信したかどうかを判断する。受信していなければ（ステップＳ０４でＮＯ）、受信するのを待つ。受信すると（ステップＳ０４でＹＥＳ）、ステップＳ０５で、操作情報を解析し操作情報は遠隔操作の終了を示す操作か否かを調べ、遠隔操作の終了であれば（ステップＳ０５でＹＥＳ）、処理を終了する。遠隔操作の終了でなければ（ステップＳ０５でＮＯ）、ステップＳ０６で、熟練者判定処理を実施する。この処理は、携帯端末２を操作しているユーザーが例えばサービスマン等の操作熟練者かどうかを判定する処理であるが、詳細については後述する。
【００７６】
次にステップＳ０７で、熟練者判定処理の結果、携帯端末２を操作しているユーザーが操作熟練者であると判定された場合は（ステップＳ０７でＹＥＳ）、ステップＳ０８で、第２の解像度を維持したまま、操作情報に応じて次の操作画面に遷移するための表示用データを作成した後、ステップＳ０３に戻り、作成したデータを携帯端末２に送信する。
【００７７】
一方、ステップＳ０７で、携帯端末２を操作しているユーザーが操作熟練者でないと判定された場合は（ステップＳ０７でＮＯ）、ステップＳ０９で、解像度の設定を第２の解像度から第１の解像度に切り替え、操作情報に応じて次の操作画面に遷移するための表示用データを作成した後、ステップＳ０３に戻り、作成したデータを携帯端末２に送信する。
【００７８】
ここで、第１の解像度は従来と同様の高解像度であり、第２の解像度は前記第１の解像度よりも相対的に低い解像度である。第１の解像度で作成した操作画面表示用データを携帯端末２に無線送信した場合、送信開始からリモート画面として表示されるまでに時間がかかり、操作熟練者にとっては応答性が悪くなり、操作性が良くないものとなる。
【００７９】
そこで、携帯端末２のユーザーが操作熟練者（単に熟練者ともいう）であると判定された場合は、解像度の低い第２の解像度を維持して操作画面表示用データを作成し、携帯端末２に送信する。解像度が低いため、送信処理時間が短縮され、この操作画面表示用データに基づいて携帯端末２にリモート画面画表示されるまでの時間が短縮され、熟練者にとって応答性の良いものとなり、操作性が向上する。なお、リモート画面は解像度の低い表示画面となるが、熟練者はボタン配置等を認識しているため、解像度が低くても操作性に与える影響はほとんどない。
【００８０】
一方、携帯端末２のユーザーが操作熟練者でない場合は、高解像度の第１の解像度が設定されるから、解像度の高いリモート画面が携帯端末２に表示されて操作ミスの少ない操作が可能となる。
【００８１】
なお、この実施形態では、最初の解像度として第２の解像度が設定され、ユーザーが操作熟練者でないと判定されると高解像度の第１の解像度に切り替えられる構成としたが、最初の解像度として第１の解像度が設定され、ユーザーが操作熟練者であると判定されると低解像度の第２の解像度に切り替えられる構成としてもよい。
【００８２】
図７は、携帯端末２の動作を示すフローチャートである。この動作は携帯端末２のＣＰＵ２０１が連携アプリ等に従って動作することにより実行される。
【００８３】
ステップＳ２１では、ＭＦＰ１に対して画面取得要求を送信し、ステップＳ２２で、ＭＦＰ１からの操作画面表示用データの受信を待つ（ステップＳ２２でＮＯ）。受信すると（ステップＳ２２でＹＥＳ）、ステップＳ２３で、受信したデータに基づいて表示部２０４ａにリモート画面を表示した後、ステップＳ２４で、操作画面に対してユーザーにより操作がなされたかどうかを判断する。操作がなされなければ（ステップＳ２４でＮＯ）、なされるのを待つ。操作がなされると（ステップＳ２４でＹＥＳ）、ステップＳ２５で、操作終了のための操作かどうかを調べ、操作終了であれば（ステップＳ２５でＹＥＳ）、ＭＦＰ１に操作終了を通知し、ＭＦＰ１に対する遠隔操作を終了する。
【００８４】
操作終了でなければ（ステップＳ２５でＮＯ）、ステップＳ２６で、操作情報をＭＦＰ１に送信した後、ステップＳ２２に戻る。
【００８５】
図８は、図６のフローチャートにおける熟練者判定処理の詳細を示すフローチャートである。
【００８６】
ステップＳ０６０１で、携帯端末２から受信した操作情報から表示完了から操作までの操作間隔（操作時間）を求め、ステップＳ０６０２で操作間隔が予め定めた閾値（例えば０．４５秒）よりも短いかどうかを判断する。操作間隔が短いかどうかは、ユーザーの操作開始からの各操作間隔の平均値について判断しても良いし、そのユーザーの過去の操作間隔を含めた平均値で判断しても良い。なお、閾値は変更できるようにしても良い。また、ユーザーの過去の操作間隔は操作ログとして記憶部１０６等に保存されている。
【００８７】
操作間隔が長い場合（ステップＳ０６０２でＮＯ）、ステップＳ０６０３で熟練者でないと判定する。この場合は、高解像度である第１の解像度で操作画面表示用データが作成される。操作間隔が短い場合（ステップＳ０６０２でＹＥＳ）、ステップＳ０６０４で熟練者であると判定する。この場合は、低解像度である第２の解像度で操作画面表示用データが作成される。
【００８８】
このように、操作間隔に基づいて操作熟練者かどうかを判定するから、簡単かつ確実に熟練者かどうかを判定できる。
【００８９】
図９は熟練者判定処理の他の例を示すフローチャートである。
【００９０】
ステップＳ０６１１で、そのユーザーについて携帯端末２から受信した操作情報の操作ログから、次に作成する画面の過去の表示回数を求める。操作ログや過去の表示履歴等のデータは、記憶部１０６等に記憶されている。
【００９１】
ステップＳ０６１２では、複数回表示されているかどうかを判断する。表示回数が一定回数を超えているかどうかを判断しても良い。複数回表示されていない場合（ステップＳ０６１２でＮＯ）、ステップＳ０６１３で熟練者でないと判定する。この場合は、高解像度である第１の解像度で操作画面表示用データが作成される。複数回表示されている場合（ステップＳ０６１２でＹＥＳ）、ステップＳ０６１４で熟練者であると判定する。この場合は、低解像度である第２の解像度で操作画面表示用データが作成される。
【００９２】
このように、ユーザーの過去の操作ログに基づいて操作熟練者かどうかを判定するから、簡単かつ確実に熟練者かどうかを判定できる。
【００９３】
図１０は熟練者判定処理のさらに他の例を示すフローチャートである。この例では、ＭＦＰ１の管理者等は操作熟練者であるユーザーを設定することができ、熟練者かどうかの判定は、ユーザーが前記設定された操作熟練者に該当するか否かにより行われる。
【００９４】
ステップＳ０６２１で、操作熟練者であるかどうかが設定されている設定値を、例えば記憶部１０６等から取得する。
【００９５】
次いでステップＳ０６２２で、そのユーザーが熟練者として設定されているかどうかを判断する。熟練者として設定されていない場合（ステップＳ０６２２でＮＯ）、ステップＳ０６２３で熟練者でないと判定する。この場合は、高解像度である第１の解像度で操作画面表示用データが作成される。熟練者として設定されている場合（ステップＳ０６２２でＹＥＳ）、ステップＳ０６２４で熟練者であると判定する。この場合は、低解像度である第２の解像度で操作画面表示用データが作成される。
【００９６】
このように、ユーザーが熟練者であるかどうかの設定に基づいて操作熟練者かどうかを判定するから、簡単かつ確実に熟練者かどうかを判定できる。
【００９７】
図１１は熟練者判定処理のさらに他の例を示すフローチャートである。
【００９８】
ステップＳ０６３１で、携帯端末２から受信した操作情報を基に表示完了から操作までの操作間隔を求め、ステップＳ０６０２で操作間隔がそれまでの操作間隔の平均値または直前の操作間隔よりも一定以上長くなったかどうかを判断する。
【００９９】
操作間隔が長くなった場合（ステップＳ０６３２でＹＥＳ）、その画面の操作には慣れていないと判断し、ステップＳ０６３３で熟練者でないと判定する。この場合は、高解像度である第１の解像度で操作画面表示用データが作成される。操作間隔が長くなっていない場合（ステップＳ０６３２でＮＯ）、ステップＳ０６３４で熟練者であると判定する。この場合は、低解像度である第２の解像度で操作画面表示用データが作成される。
【０１００】
このように、操作間隔が長くなったかどうかに基づいて操作熟練者かどうかを判定するから、簡単かつ確実に熟練者かどうかを判定できる。
【０１０１】
図１２は熟練者判定処理のさらに他の例を示すフローチャートである。
【０１０２】
ステップＳ０６４１で、携帯端末２から受信した操作情報から、操作画面の表示後に何も操作されることなく戻るボタンが操作されたかどうかを判断する。
【０１０３】
戻るボタンが操作された（ステップＳ０６４１でＹＥＳ）、その画面の操作には慣れていないと判断し、ステップＳ０６４２で熟練者でないと判定する。この場合は、高解像度である第１の解像度で操作画面表示用データが作成される。戻るボタンが操作されていない場合（ステップＳ０６４２でＮＯ）、ステップＳ０６４３で熟練者であると判定する。この場合は、低解像度である第２の解像度で操作画面表示用データが作成される。
【０１０４】
このように、操作画面の表示後に何も操作されることなく戻るボタンが操作されたかどうかに基づいて操作熟練者かどうかを判定するから、簡単かつ確実に熟練者かどうかを判定できる。
【０１０５】
以上の実施形態では、熟練者であると判定されて第２の解像度の設定がなされた後に、熟練者でないと判定されると、自動的に解像度の設定が高解像度である第１の解像度に変更されるが、熟練者であると判定されて第２の解像度の設定がなされた後に、熟練者でないと判定された場合、ユーザーに解像度の変更許否を問い合わせ、ユーザーが解像度の変更を許可した場合にのみ第１の解像度に変更する構成としても良い。
【０１０６】
この場合、ＭＦＰ１は、熟練者であると判定し第２の解像度の設定を行った後に、熟練者でないと判定すると、解像度の変更許否をユーザーに選択させる選択画面表示用データを携帯端末２に送信する。携帯端末２はこのデータに基づいて、図１３に示すような選択画面Ｄ２を表示部２０４ａに表示する。この画面には、「解像度を上げますか」というメッセージの他に、「はい」ボタンと「いいえ」ボタンが設けられている。ユーザーが「はい」ボタンを押した場合にのみ、ＭＦＰ１は第１の解像度に切り替えて次の操作画面表示用データを作成する。熟練者でないユーザーであっても、高解像度の画面よりも応答性の良い低解像度の画面を望む場合があり、このようなユーザーの意思を反映することができる。
【０１０７】
また、図１４に示すように、携帯端末２に表示された操作画面Ｄ３内に、解像度設定ボタン３００を配置してもよい。ユーザーがこのボタン３００を押すと、図１５に示すように、「解像度を設定して下さい」のメッセージと共に「高」「中」「低」の各解像度の選択ボタン３０１が表示された解像度選択画面Ｄ４に遷移するようになっている。そして、ユーザーがいずれかのボタン３０１を押すことで、ユーザーの意思により解像度を設定できる構成としても良い。
【０１０８】
なお、「高」「中」「低」の各解像度の選択ボタン３０１を設けるのではなく、１個の解像度設定ボタンを設けておき、このボタンを押す毎に「高」「中」「低」の各解像度が順に選択される構成としても良い。
【０１０９】
また、「高」「中」「低」の３個の解像度設定に限定されることはなく、「高」「低」の２個の解像度設定であっても良いし、４個以上に分けて設定できる構成としても良く、３個以上の設定を可能として、ユーザーが段階的に解像度を設定できる構成とするのが望ましい。
【符号の説明】
【０１１０】
１        画像処理装置
２        携帯端末装置
１０１    ＣＰＵ
１０２    ＲＯＭ
１０７ｂ  表示部
２０１    ＣＰＵ
２０２    ＲＡＭ
２０３    記憶部
２０４ａ  表示部
２０４ｂ  操作部
２０９    連携部
【図１】
2015037197.tif 000003
【図２】
2015037197.tif 000004
【図３】
2015037197.tif 000005
【図４】
2015037197.tif 000006
【図５】
2015037197.tif 000007
【図６】
2015037197.tif 000008
【図７】
2015037197.tif 000009
【図８】
2015037197.tif 000010
【図９】
2015037197.tif 000011
【図１０】
2015037197.tif 000012
【図１１】
2015037197.tif 000013
【図１２】
2015037197.tif 000014
【図１３】
2015037197.tif 000015
【図１４】
2015037197.tif 000016
【図１５】
2015037197.tif 000017